(57)【特許請求の範囲】
【請求項１】
表示装置であって、
第１のグループ情報の入力を受け付ける入力受付手段と、
他の表示装置から、当該他の表示装置の第２の識別情報、及び当該他の表示装置に入力された第２のグループ情報を受信する受信手段と、
前記表示装置における第１の識別情報と、前記入力された第２のグループ情報が前記第１のグループ情報と同じグループ情報である前記他の表示装置における前記第２の識別情報とを、前記第１のグループ情報と対応付け、且つ前記入力された第２のグループ情報が前記第１のグループ情報と異なるグループ情報である前記他の表示装置における前記第２の識別情報を、前記第１のグループ情報以外のグループ情報と対応付けて、操作する表示装置を選択するための選択画面を生成する生成手段と、
生成された前記選択画面を表示する表示手段と
を備える表示装置。
【請求項２】
前記第１の識別情報、及び前記第１のグループ情報を、前記他の表示装置へ送信する送信手段
を備える請求項１に記載の表示装置。
【請求項３】
前記生成手段は、
前記選択画面として、前記第１の識別情報を前記表示装置が表示する画像の配置位置と関連づけ、且つ前記第２の識別情報を前記他の表示装置が表示する画像の配置位置と関連づけるための画面を生成する
ことを特徴とする請求項１又は請求項２に記載の表示装置。
【請求項４】
前記入力受付手段は、
操作された物理ボタンと関連づけられた前記第１のグループ情報の入力を受け付ける
ことを特徴とする請求項１から請求項３のいずれか１項に記載の表示装置。
【請求項５】
第１の電子機器と、
第２の電子機器と、
前記第１の電子機器、及び前記第２の電子機器と接続される管理装置と
を備え、
前記第１の電子機器は、
前記管理装置を介して、第１のグループ情報の入力を受け付ける第１の入力受付手段と、
前記第１の電子機器の第１の識別情報、及び前記第１のグループ情報を、前記管理装置へ送信する第１の送信手段と
を有し、
前記第２の電子機器は、
前記管理装置を介して、第２のグループ情報の入力を受け付ける第２の入力受付手段と、
前記第２の電子機器の第２の識別情報、及び前記第２のグループ情報を、前記管理装置へ送信する第２の送信手段と
を有し、
前記管理装置は、
前記第１の電子機器から前記第１の識別情報、及び前記第１のグループ情報を受信し、前記第２の電子機器から前記第２の識別情報、及び前記第２のグループ情報を受信する受信手段と、
前記第１の識別情報と、前記第２のグループ情報が前記第１のグループ情報と同じグループ情報である前記第２の識別情報とを、前記第１のグループ情報と対応付け、且つ前記第２のグループ情報が前記第１のグループ情報と異なるグループ情報である前記第２の識別情報を、前記第１のグループ情報以外のグループ情報と対応付けて、操作する表示装置を選択するための選択画面を生成する生成手段と、
生成された前記選択画面を表示する表示手段と
を有する表示システム。
【請求項６】
前記第１の電子機器、及び前記第２の電子機器の各々が表示装置である
ことを特徴とする請求項５に記載の表示システム。
【請求項７】
前記生成手段は、
前記選択画面として、前記第１の識別情報を前記第１の電子機器が表示する画像の配置位置と関連づけ、且つ前記第２の識別情報を前記第２の電子機器が表示する画像の配置位置と関連づけるための画面を生成する
ことを特徴とする請求項６に記載の表示システム。
【請求項８】
表示装置の制御方法であって、
第１のグループ情報の入力を受け付けるステップと、
他の表示装置から、当該他の表示装置の第２の識別情報、及び当該他の表示装置に入力された第２のグループ情報を受信するステップと、
前記表示装置における第１の識別情報と、前記第２のグループ情報が前記第１のグループ情報と同じグループ情報である前記第２の識別情報とを、前記第１のグループ情報と対応付け、且つ前記第２のグループ情報が前記第１のグループ情報と異なるグループ情報である前記第２の識別情報を、前記第１のグループ情報以外のグループ情報と対応付けて、操作する表示装置を選択するための選択画面を生成するステップと、
生成された前記選択画面を表示するステップと
を備える表示装置の制御方法。
【請求項９】
第１の電子機器が、管理装置を介して、ユーザーによる第１のグループ情報の入力を受け付けるステップと、
前記第１の電子機器が、前記第１の電子機器の第１の識別情報、及び前記第１のグループ情報を、前記管理装置へ送信するステップと、
第２の電子機器が、前記管理装置を介して、第２のグループ情報の入力を受け付けるステップと、
前記第２の電子機器が、前記第２の電子機器の第２の識別情報、及び前記第２のグループ情報を、前記管理装置へ送信するステップと、
前記管理装置が、前記第１の電子機器から前記第１の識別情報、及び前記第１のグループ情報を受信し、前記第２の電子機器から前記第２の識別情報、及び前記第２のグループ情報を受信するステップと、
前記管理装置が、第１の識別情報と、前記入力された第２のグループ情報が前記第１のグループ情報と同じグループ情報である前記他の表示装置における前記第２の識別情報とを、前記第１のグループ情報と対応付け、且つ前記入力された第２のグループ情報が前記第１のグループ情報と異なるグループ情報である前記他の表示装置における前記第２の識別情報を、前記第１のグループ情報以外のグループ情報と対応付けて、操作する表示装置を選択するための選択画面を生成するステップと、
前記管理装置が、生成した前記選択画面を表示するステップと
を備える電子機器の制御方法。
【発明の詳細な説明】
【技術分野】
【０００１】
本発明は、接続された複数の機器をグループに分けて制御するための技術に関する。
【背景技術】
【０００２】
ネットワーク経由で接続された複数の機器をグループに分け、同じグループに分類された２台以上の機器の連係動作によって、所定の機能を利用するための技術がある。例えば、２台以上のプロジェクターの各々が表示する部分画像を、同一のスクリーン上に並べて投写することにより、画面（全体画像）を表示する、タイリング投写を行う場合がある。機器のグループ分けにおいては、ユーザーに煩雑な操作が強いられることがあった。
【０００３】
これに対し、特許文献１には、プロジェクターが自機に入力された識別コードを複合機に送信し、当該複合機が、スキャナで読み取った画像データの送信先を設定する際には、自機と同じ識別コードが入力されたプロジェクターを優先的に表示することが記載されている。特許文献２には、１台以上のプロジェクターが接続されたコンピューターを用いて、使用するプロジェクターを選択する際に、当該コンピューターが、イメージ（画像）を表示しているプロジェクターについては、そのプレビューイメージを、イメージを表示していないプロジェクターについては、当該プロジェクターのＩＰアドレスを表示することが記載されている。特許文献３には、マルチプロジェクションシステムにおいて、スマートフォン等の操作装置を用いて、プロジェクターのＩＰアドレスと配置位置とを関連づけることにより、当該プロジェクターを、当該操作装置を用いて操作可能な機器として設定することが記載されている。
【先行技術文献】
【特許文献】
【０００４】
【特許文献１】特開２０１０−２５８７２１号公報
【特許文献２】特開２００７−４３７２５号公報
【特許文献３】特開２０１４−１０７７１３号公報
【発明の概要】
【発明が解決しようとする課題】
【０００５】
しかしながら、特許文献１に記載の技術では、プロジェクターが複数台存在する場合には、どのプロジェクターにどの識別コードが設定されたのかが、ユーザーにとって分かりづらい。特許文献２に記載の技術では、同じイメージを表示するプロジェクターが複数台ある場合には、プレビューイメージを見ても、どのプロジェクターが表示するイメージを表しているのかが、ユーザーにとって分かりづらい。特許文献３に記載の技術では、表示されたプロジェクターのＩＰアドレスを見ても、どのＩＰアドレスがどのプロジェクターに割り当てられているのかが、ユーザーにとって分かりづらい。
本発明は、上述した事情に鑑みてなされたもので、その目的の一つは、ネットワーク経由で接続された複数の機器を、ユーザーが所望する組み合わせでグループ分けしやすくするための技術を提供することである。
【課題を解決するための手段】
【０００６】
上記目的を達成するために、本発明に係る表示装置は、表示装置であって、第１のグループ情報の入力を受け付ける入力受付手段と、他の表示装置から、当該他の表示装置の第２の識別情報、及び当該他の表示装置に入力された第２のグループ情報を受信する受信手段と、前記表示装置の第１の識別情報を、前記第１のグループ情報と対応付け、且つ前記第２の識別情報を、前記第２のグループ情報と対応付けて、操作する表示装置を選択するための選択画面を生成する生成手段と、生成された前記選択画面を表示する表示手段とを備える。
この発明では、自表示装置に入力されたグループ情報を、自表示装置の識別情報と対応付け、且つ他の表示装置に入力されたグループ情報を、当該他の表示装置の識別情報と対応付けて、操作する表示装置を選択するための選択画面を表示する。このため、ユーザーは、選択画面において表示されたグループ情報を参照し、各表示装置が分類されたグループを把握した上で、操作する表示装置を選択することができる。
【０００７】
本発明において、前記第１の識別情報、及び前記第１のグループ情報を、前記他の表示装置へ送信する送信手段を備えてもよい。
この発明によれば、ユーザーは、他の表示装置によって表示されたグループ情報を参照して、操作する表示装置を選択することができる。
【０００８】
本発明において、前記生成手段は、前記選択画面として、前記第１の識別情報を前記表示装置が表示する画像の配置位置と関連づけ、且つ前記第２の識別情報を前記他の表示装置が表示する画像の配置位置と関連づけるための画面を生成してもよい。
この発明によれば、ユーザーは、表示されたグループ情報を参照して、各表示装置の識別情報を、当該表示装置が表示する画像の配置位置と関連づけることができる。
【０００９】
本発明において、前記入力受付手段は、操作された物理ボタンと関連づけられた前記第１のグループ情報の入力を受け付けてもよい。
この発明によれば、操作された物理ボタンと関連づけられたグループ情報の入力を受け付けるため、ユーザーにとっては、直感的な操作によってグループ情報を指定しやすい。
【００１０】
本発明の表示システムは第１の電子機器と、第２の電子機器と、前記第１の電子機器、及び前記第２の電子機器と接続される管理装置とを備え、前記第１の電子機器は、前記管理装置を介して、第１のグループ情報の入力を受け付ける第１の入力受付手段と、前記第１の電子機器の第１の識別情報、及び前記第１のグループ情報を、前記管理装置へ送信する第１の送信手段とを有し、前記第２の電子機器は、前記管理装置を介して、第２のグループ情報の入力を受け付ける第２の入力受付手段と、前記第２の電子機器の第２の識別情報、及び前記第２のグループ情報を、前記管理装置へ送信する第２の送信手段とを有し、前記管理装置は、前記第１の電子機器から前記第１の識別情報、及び前記第１のグループ情報を受信し、前記第２の電子機器から前記第２の識別情報、及び前記第２のグループ情報を受信する受信手段と、前記第１の識別情報を前記第１のグループ情報と対応付け、且つ前記第２の識別情報を前記第２のグループ情報と対応付けて、操作する電子機器を選択するための選択画面を生成する生成手段と、
生成された前記選択画面を表示する表示手段とを有する。
この発明では、複数の電子機器の各々に入力されたグループ情報を、各電子機器の識別情報と対応付けて、操作する電子機器を選択するための選択画面を表示する。このため、ユーザーは、選択画面において表示されたグループの情報を参照し、各電子機器が分類されたグループを把握した上で、操作する電子機器を選択することができる。
【００１１】
本発明において、前記第１の電子機器、及び前記第２の電子機器の各々が表示装置であってもよい。
この発明によれば、ユーザーが所望する組み合わせで表示装置をグループ分けしやすくすることができる。
【００１２】
本発明において、前記生成手段は、前記選択画面として、前記第１の識別情報を前記第１の電子機器が表示する画像の配置位置と関連づけ、且つ前記第２の識別情報を前記第２の電子機器が表示する画像の配置位置と関連づけるための画面を生成してもよい。
この発明によれば、ユーザーは、表示されたグループ情報を参照して、各表示装置の識別情報を、当該表示装置が表示する画像の配置位置と関連づけることができる。
【００１３】
なお、本発明は、表示装置及び表示システムのほか、表示装置の制御方法、電子機器の制御方法としても観念することが可能である。
【図面の簡単な説明】
【００１４】
【図１】本発明の第１実施形態に係る表示システムの全体構成を示すブロック図。
【図２】同実施形態に係るプロジェクターのハードウェア構成を示す図。
【図３】同実施形態に係るプロジェクターの機能構成を示す図。
【図４】同実施形態に係るプロジェクターが行うグループ分け処理を示すフローチャート。
【図５】同実施形態に係るステップＳ５で表示される機器情報画面の説明図。
【図６】同実施形態に係るプロジェクターが行う機器選択画面の表示処理を示すフローチャート。
【図７】同実施形態に係るステップＳ１５で表示される機器選択画面の説明図。
【図８】本発明の第２実施形態に係る表示システムの全体構成を示すブロック図。
【図９】同実施形態に係る管理装置のハードウェア構成を示す図。
【図１０】同実施形態に係る管理装置、及びプロジェクターの機能構成を示す図。
【図１１】同実施形態に係るプロジェクターが行うグループ分け処理を示すフローチャート。
【図１２】同実施形態に係る管理装置が行う機器選択画面の表示処理を示すフローチャート。
【図１３】同実施形態に係るステップＳ３５で表示される機器選択画面の説明図。
【発明を実施するための形態】
【００１５】
以下、本発明の実施の形態について図面を参照しつつ説明する。
［第１実施形態］
図１は、本発明の第１実施形態に係るプロジェクターシステム１の全体構成を示す図である。図１（Ａ）に示すように、プロジェクターシステム１は、複数のプロジェクター１０（１０Ａ〜１０Ｆ）と、リモートコントローラー２０と、画像信号供給装置４０とを備えた表示システムである。プロジェクター１０Ａ〜１０Ｆは、ここでは同一の室空間に配置され、スクリーン３０に画像を投写する。リモートコントローラー２０は、複数のプロジェクター１０を遠隔操作するためにユーザーにより使用される。画像信号供給装置４０は、例えばパーソナルコンピューターであり、スクリーン３０に画像（画面）を表示するための画像信号を、プロジェクター１０Ａ〜１０Ｆの各々に供給する。
【００１６】
プロジェクター１０は、例えば壁掛け式の短焦点型のプロジェクターで、近距離に設置されたスクリーン３０に画像を投写する投写型の表示装置である。プロジェクター１０は、画像信号供給装置４０から入力された、Ｒ（Red）、Ｇ（Green）、Ｂ（Blue）の三原色の各色成分に対応した画像信号に基づいて、カラーの画像を投写する。スクリーン３０は、例えば反射型のスクリーンであり、プロジェクター１０により画像が投写される投写面に相当する。なお、投写面は、スクリーン３０以外の物、例えば壁で代用されてもよい。
【００１７】
プロジェクター１０は、画像信号供給装置４０と接続され、通信が行えるようになっている。更に、複数のプロジェクター１０のいずれかは、他のプロジェクター１０と接続され、通信が行えるようになっている。例えば、プロジェクター１０は、ネットワークＮＷに接続され、他のプロジェクター１０や、画像信号供給装置４０と通信が行えるようになっていてもよい。このとき、プロジェクター１０は、ネットワークＮＷに無線接続し、ＩＥＥＥ８０２．１１（Ｗｉ−Ｆｉ：登録商標）の規格に準拠した無線通信を行ってもよい。プロジェクター１０は、所定の接続情報を用いてネットワークＮＷに接続する。接続情報は、例えば、ネットワークＮＷのアクセスポイントを識別する識別情報や、ネットワークＮＷに接続するための認証に用いられる認証情報を含む。接続情報は、例えば、ＳＳＩＤ（Service Set Identifier）、ＷＥＰ（Wired Equivalent Privacy）に従う暗号化キー等のセキュリティ情報、ネットワークＮＷにおけるＩＰアドレス、及びＭＡＣアドレスを含む。プロジェクター１０Ａ〜１０Ｆの各々には、図１（Ｂ）に示すＩＰアドレスが割り当てられている。ＩＰアドレスは、各プロジェクター１０を識別する識別情報である。プロジェクター１０Ａ〜１０Ｆは、ネットワークＮＷ経由で相互に通信して、タイリング投写を行うための情報（例えば、ＩＰアドレスやＭＡＣアドレス）を交換する。
なお、プロジェクター１０が行う無線通信の規格は特に問わず、例えば、Ｗｉ−Ｆｉ以外の無線ＬＡＮ（Local Area Network）の規格であってもよい。また、プロジェクターシステム１は、プロジェクター１０とネットワークＮＷとが有線により接続される構成であってもよい。
【００１８】
リモートコントローラー２０は、例えば赤外線通信により、遠隔操作のための制御信号を送信する。リモートコントローラー２０は、物理ボタンとして、“ＳＴＡＮＢＹ／ＯＮ”キー２１と、“ＧＲＯＵＰ  ＯＮ”キー２２と、「０」〜「９」の各数値に対応したキーを含むテンキー２３とを備える。“ＳＴＡＮＢＹ／ＯＮ”キー２１は、スタンバイモードであるプロジェクター１０を起動させたり、起動後のプロジェクター１０をスタンバイモードに移行させたりするためのボタンである。プロジェクター１０の起動完了後は、プロジェクター１０が画像を投写可能な状態となる。“ＧＲＯＵＰ  ＯＮ”キー２２は、スタンバイモードであるプロジェクター１０に、当該プロジェクター１０のグループの分類を示すグループ情報を指定して起動させるためのボタンである。グループ情報は、本実施形態では、テンキー２３の各キーに対応した“Ｇ０”〜“Ｇ９”のいずれかに指定される。グループ情報を指定する際、ユーザーは、“ＧＲＯＵＰ  ＯＮ”キー２２と、テンキー２３のいずれか一のキーとを同時押しする。グループ情報は、ユーザーが認識しやすい文字列で表され、例えばＩＰアドレスよりも文字数が少ない。
【００１９】
図１（Ａ）の例では、プロジェクター１０Ａ〜１０Ｄがスクリーン３０上に部分画像を並べて投写することにより、タイリング投写が行われている。より具体的には、スクリーン３０の表面が、縦横に２×２の投写領域３０−１，３０−２，３０−３，３０−４に分割されている。そして、プロジェクター１０Ａは投写領域３０−１に、プロジェクター１０Ｂは投写領域３０−２に、プロジェクター１０Ｃは投写領域３０−３に、プロジェクター１０Ｄは投写領域３０−４に、それぞれ部分画像を表示（投写）する。プロジェクター１０は、タイリング投写を行う２以上のプロジェクター１０を、ユーザーが所望する組み合わせで選択しやすくするための仕組みを有する。この仕組みについては、後で詳細を説明する。
なお、タイリング投写は、画像信号供給装置４０からプロジェクター１０に部分画像を表す画像信号が供給される方法で行われてもよいし、画像信号供給装置４０からプロジェクター１０に全体画像を表す画像信号が供給され、プロジェクター１０において部分画像を表す画像信号に加工する方法で行われてもよい。
また、本実施形態では、プロジェクターシステム１が６台のプロジェクター１０を含むが、５台以下又は７台以上であってもよい。
【００２０】
図２は、プロジェクター１０のハードウェア構成を示すブロック図である。図２に示すように、プロジェクター１０は、ＣＰＵ（Central Processing Unit）１１と、ＲＯＭ（Read Only Memory）１２と、ＲＡＭ（Random Access Memory）１３と、本体操作部１４と、信号受信部１５と、画像処理部１６と、投写部１７と、カメラ部１８と、通信部１９とを備える。
ＣＰＵ１１は、ＲＯＭ１２に記憶されたプログラムを、ＲＡＭ１３に読み出して実行することにより、プロジェクター１０の各部を制御するプロセッサーである。本体操作部１４は、プロジェクター１０の電源のオン／オフ等の、ユーザーが各種操作を行うためにプロジェクター１０本体に設けられた操作手段である。信号受信部１５は、例えば赤外光受光素子を備え、リモートコントローラー２０から遠隔操作のための信号を受信する。
【００２１】
画像処理部１６は、例えばＡＳＩＣ（Application Specific Integrated Circuit）等の画像処理回路を備え、プロジェクター１０が行う画像処理を司る。画像処理部１６は、ＣＰＵ１１の制御に従って、例えば、画像信号供給装置４０から入力された画像信号に対して、リサイズ処理や台形補正等の補正処理を行い、投写用の画像情報を生成する。補正処理は、カメラ部１８がスクリーン３０を撮像した画像に基づいて行われる。
【００２２】
投写部１７は、画像処理部１６による画像処理後の画像情報に基づいて、スクリーン３０に画像を投写（表示）する。投写部１７は、光源１７１と、液晶パネル１７２と、光学系１７３と、光源制御部１７４と、パネル駆動部１７５と、光学系駆動部１７６とを有する。光源１７１は、例えばＬＥＤ（Light Emitting Diode）や半導体ダイオードを含む固体光源で、液晶パネル１７２に光を射出する。液晶パネル１７２は、例えば透過型の液晶パネルで、光源１７１から入射した光を変調する光変調器である。液晶パネル１７２は、Ｒ、Ｇ、Ｂの三原色の各色に対応して設けられる。光学系１７３は、例えばレンズやレンズ調整用の駆動回路を備え、液晶パネル１７２により変調された光（画像光）を拡大して、スクリーン３０上に投写する。光源制御部１７４は、ＣＰＵ１１の制御に従って光源１７１を駆動する。パネル駆動部１７５は、ＣＰＵ１１から供給された画像情報に基づいて液晶パネル１７２を駆動する。光学系駆動部１７６は、ＣＰＵ１１の制御に従って光学系１７３の駆動回路を駆動する。
なお、光変調器として、反射型の液晶パネルを採用してもよいし、デジタルマイクロミラーデバイス（ＤＭＤ）等を採用してもよい。
【００２３】
カメラ部１８は、イメージセンサー（例えばＣＭＯＳセンサー又はＣＣＤセンサー）を有し、スクリーン３０を撮像する。通信部１９は、例えば無線通信回路及びアンテナを有し、ネットワークＮＷに接続して無線通信を行う。
【００２４】
図３は、プロジェクター１０の機能構成を示すブロック図である。
プロジェクター１０は、入力受付手段１０１と、送信手段１０２と、受信手段１０３と、生成手段１０４と、表示手段１０５とに相当する機能を実現する。
入力受付手段１０１は、リモートコントローラー２０を介して、ユーザーによるグループ情報の入力を受け付ける手段である。このグループ情報は、自機が分類されるグループを示す第１のグループ情報である。
送信手段１０２は、自機を他のプロジェクター１０とは区別して識別するための、自機の識別情報（第１の識別情報）、及び入力受付手段１０１が入力を受け付けたグループ情報を、他のプロジェクター１０へ送信する手段である。例えば、識別情報は、自機のＩＰアドレスであってもよい。なお、本実施形態では、この識別情報として自機のＩＰアドレスを用いる。
受信手段１０３は、他のプロジェクター１０から、当該他のプロジェクター１０の識別情報（第２の識別情報）、及びユーザーにより当該他のプロジェクター１０に入力されたグループ情報を受信する手段である。例えば、この識別情報は、当該他のプロジェクターのＩＰアドレスであってもよい。なお、本実施形態では、この識別情報として当該他のプロジェクターのＩＰアドレスを用いる。グループ情報は、他のプロジェクター１０が分類されるグループを示す第２のグループ情報である。
生成手段１０４は、受信手段１０３により受信された識別情報、及びグループ情報に基づいて、操作するプロジェクター１０を選択するための選択画面を生成する手段である。選択画面は、自機の識別情報と、入力受付手段１０１が入力を受け付けたグループ情報とを対応付け、且つ受信手段１０３が受信した識別情報とグループ情報とを対応付けて表示する。
表示手段１０５は、生成手段１０４により生成された選択画面を表示する手段である。
【００２５】
＜グループ分け処理＞
図４は、プロジェクター１０が行うグループ分け処理を示すフローチャートである。以下では、プロジェクター１０Ａが行うグループ分け処理を説明する。このグループ分け処理の前において、プロジェクター１０Ａはスタンバイモードであり、プロジェクター１０Ｂ〜１０Ｆの各々は、例えば、起動が完了した状態、又はスタンバイモードのいずれかである。
【００２６】
プロジェクター１０ＡのＣＰＵ１１は、信号受信部１５を介して、リモートコントローラー２０から、起動を指示する起動指示信号を受信する（ステップＳ１）。ＣＰＵ１１は、受信した起動指示信号に応じて、プロジェクター１０Ａを起動させる（ステップＳ２）。
【００２７】
次に、ＣＰＵ１１は、“ＧＲＯＵＰ  ＯＮ”キー２２の操作に応じて起動したかどうかを判定する（ステップＳ３）。ステップＳ３で「ＹＥＳ」と判定した場合、ＣＰＵ１１は、ステップＳ１で受信した起動指示信号に基づいて、ユーザーによるグループ情報の入力を受け付ける（ステップＳ４）。ここで、テンキー２３のうち「０」のキーがユーザーにより操作されていたとすると、ＣＰＵ１１は、グループ情報として「Ｇ０」の入力を受け付ける。
【００２８】
起動完了後、ＣＰＵ１１は、機器情報画面を、投写部１７を介してスクリーン３０に表示させる（ステップＳ５）。機器情報画面は、プロジェクター１０Ａが入力を受け付けたグループ情報、及び個体情報を含む。個体情報は、プロジェクター１０に固有の情報で、ここでは、ＩＰアドレス、及びＭＡＣアドレスを含む。
【００２９】
図５は、プロジェクター１０Ａが表示する機器情報画面を説明する図である。図５に示すように、機器情報画面ＳＣ１には、プロジェクター１０Ａのグループ情報である「Ｇ０」と、プロジェクター１０ＡのＩＰアドレスである「１９２．１６８．１．６０」と、プロジェクター１０ＡのＭＡＣアドレスである「ＡＡ：ＢＢ：ＣＣ：ＤＤ：ＥＥ：ＦＦ」とが表示されている。ユーザーは、機器情報画面ＳＣ１を見て、自身が起動させたプロジェクター１０Ａと、グループ情報、及び個体情報との関係を把握することができる。
【００３０】
次に、ＣＰＵ１１は、ステップＳ５で表示させたグループ情報、及び個体情報を、通信部１９を介して、定期的に、他のプロジェクター１０Ｂ〜１０Ｆの各々へ送信する（ステップＳ６）。ＣＰＵ１１は、ここでは、ネットワークＮＷに、グループ情報、及び個体情報をブロードキャストで送信（同報送信）する。
【００３１】
なお、ステップＳ３で「ＮＯ」と判定した場合、ＣＰＵ１１は、通常の起動を行う（ステップＳ７）。ＣＰＵ１１は、リモートコントローラー２０の“ＳＴＡＮＢＹ／ＯＮ”キー２１の操作に応じて起動指示信号を受信した場合は、ステップＳ４〜Ｓ６の処理を行わない。即ち、ＣＰＵ１１は、グループ情報、及び個体情報を、プロジェクター１０Ｂ〜１０Ｆへ送信しない。
【００３２】
以上、プロジェクター１０Ａが行うグループ分け処理を説明したが、プロジェクター１０Ｂ〜１０Ｆの各々も、同様にグループ処理を行う。ここでは、ユーザーは、プロジェクター１０Ｂ，１０Ｃ，１０Ｄの各々に、グループ情報として「Ｇ０」を指定する。そして、プロジェクター１０Ｂ，１０Ｃ，１０Ｄの各々は、グループ情報である「Ｇ０」、及び個体情報を、他のプロジェクター１０へ定期的に送信する。
なお、ここでは、プロジェクター１０Ｅ，１０Ｆにはグループ情報は入力されないものとする。
【００３３】
＜機器選択画面の表示処理＞
図６は、プロジェクター１０が行う機器選択画面の表示処理を示すフローチャートである。機器選択画面は、タイリング投写において、各プロジェクター１０が表示する部分画像の配置位置を選択するための画面である。以下では、プロジェクター１０Ａが行う機器選択画面の表示処理を説明する。
プロジェクター１０ＡのＣＰＵ１１は、通信部１９を介して、他のプロジェクター１０から、グループ情報、及び個体情報を受信する（ステップＳ１１）。ステップＳ１１では、ＣＰＵ１１は、他のプロジェクター１０によりステップＳ６で送信されたグループ情報、及び個体情報を受信する。ここでは、ＣＰＵ１１は、プロジェクター１０Ｂ，１０Ｃ，１０Ｄの各々から、グループ情報である「Ｇ０」、及び個体情報を受信することとなる。
【００３４】
次に、ＣＰＵ１１は、機器選択画面を表示するかどうかを判定する（ステップＳ１２）。本実施形態では、任意の１台のプロジェクター１０がスクリーン３０に機器選択画面を表示する。この表示をするプロジェクター１０は、リモートコントローラー２０の操作により指定されてもよいし、最初にグループ情報が付与されたプロジェクター１０等に決められてもよい。
【００３５】
ステップＳ１２で「ＹＥＳ」と判定した場合、ＣＰＵ１１は、ネットワークＮＷに接続されたプロジェクター１０のＩＰアドレスを確認する（ステップＳ１３）。ここでは、ＣＰＵ１１は、ネットワークＮＷに接続された全てのプロジェクター１０、即ちプロジェクター１０Ｂ〜１０ＦのＩＰアドレスを確認する（図１（Ｂ）参照）。
【００３６】
次に、ＣＰＵ１１は、ステップＳ１３で確認したＩＰアドレス毎に、グループ情報、及び個体情報の受信の有無を確認し、機器選択画面を生成する（ステップＳ１４）。ここでは、ＣＰＵ１１は、プロジェクター１０Ｂ〜１０ＤのＩＰアドレスについては、グループ情報、及び個体情報を受信したと判定し、プロジェクター１０Ｅ，１０Ｆについては、グループ情報、及び個体情報を受信していないと判定する。そして、ＣＰＵ１１は、生成した機器選択画面を、スクリーン３０に表示させる（ステップＳ１５）。
【００３７】
図７は、ステップＳ１５で表示される機器選択画面を説明する図である。図７（Ａ）に示す機器選択画面ＳＣ２において、領域Ｔ１では、プロジェクター１０Ａ〜１０Ｄの各々について、指定されたグループ情報と、ＩＰアドレスとが対応付けて表示されている。具体的には、領域Ｔ１では、グループ情報である「Ｇ０」と対応付けて、プロジェクター１０ＡのＩＰアドレス「１９２．１６８．１．６０」と、プロジェクター１０ＢのＩＰアドレス「１９２．１６８．１．７０」と、プロジェクター１０ＣのＩＰアドレス「１９２．１６８．１．１００」と、プロジェクター１０ＤのＩＰアドレス「１９２．１６８．１．１１０」とが表示されている。ユーザーは、リモートコントローラー２０を用いて、プロジェクター１０にグループ情報を指定したので、領域Ｔ１に表示されているＩＰアドレスが、自身が選択したプロジェクター１０に対応していることを把握できる。また、領域Ｔ１には、グループ情報が指定されていないプロジェクター１０として、プロジェクター１０ＥのＩＰアドレス「１９２．１６８．１．８０」、及びプロジェクター１０ＦのＩＰアドレス「１９２．１６８．１．９０」が表示されている。
【００３８】
更に、機器選択画面ＳＣ２において、領域Ｔ２では、スクリーン３０上の投写領域（即ち、部分画像の配置位置）の各々に対応した設定領域Ｃ１〜Ｃ４が表示されている。ここでは、投写領域３０−１が設定領域Ｃ１に、投写領域３０−２が設定領域Ｃ２に、投写領域３０−３が設定領域Ｃ３に、投写領域３０−４が設定領域Ｃ４に対応している。
【００３９】
図６に戻り、ＣＰＵ１１は、リモートコントローラー２０による操作に応じて、スクリーン３０における投写領域と、各投写領域に部分画像を表示するプロジェクター１０のＩＰアドレスとを関連づける（ステップＳ１６）。機器選択画面の操作は、図７（Ａ）に示すカーソルＣｕｒ１，Ｃｕｒ２を用いて行われる。ＣＰＵ１１は、機器選択画面ＳＣ２の表示開始後、設定領域Ｃ１〜Ｃ４のうち、ＩＰアドレスの関連づけが未だであるいずれかの設定領域に、カーソルＣｕｒ２を合わせる。この状態で、カーソルＣｕｒ１でいずれかのＩＰアドレスを選択する操作が行われると、ＣＰＵ１１は、カーソルＣｕｒ１で指定されたＩＰアドレスを、カーソルＣｕｒ２で指定された設定領域に対応する投写領域に関連づける。図７（Ｂ）の例では、設定領域Ｃ１に対応する投写領域３０−１に、プロジェクター１０ＡのＩＰアドレス「１９２．１６８．１．６０」が関連づけられている。「設定中」と表示されている設定領域Ｃ２〜Ｃ４については、対応する投写領域にＩＰアドレスが未だ関連づけられていない。ＣＰＵ１１は、一の投写領域にＩＰアドレスを関連づけると、カーソルＣｕｒ２を合わせる設定領域を変えて、引き続き、ＩＰアドレスを関連づける操作を受け付ける。この関連づけが完了すると、ＣＰＵ１１は、図７（Ｃ）に示す機器選択画面ＳＣ２を表示する。これにより、図１（Ａ）で説明したタイリング投写を行うための設定が完了する。
以降、この設定に従って、複数のプロジェクター１０間で、タイリング投写を行うための情報の交換や、タイリング投写のための制御が行われる。
【００４０】
なお、ＣＰＵ１１は、リモートコントローラー２０による操作に応じてカーソルＣｕｒ２を移動させてもよい。また、ＣＰＵ１１は、グループ情報と対応付けられていないプロジェクター１０Ｅ，１０ＦのＩＰアドレスを、投写領域に関連づけてもよい。また、ＣＰＵ１１は、スクリーン３０上の複数の投写領域に、各々異なるグループ情報と対応付けられたＩＰアドレスを関連づけてもよい。また、ＣＰＵ１１は、グループ情報が指定されていないプロジェクター１０のＩＰアドレスを、機器選択画面において表示させないようにしてもよい。
なお、グループ分けの有効期限は特に問わないが、プロジェクター１０がシャットダウンされた後も有効としてもよい。
【００４１】
以上説明した第１実施形態によれば、プロジェクター１０は、自装置に入力されたグループ情報を、自装置のＩＰアドレスと対応付け、且つ他のプロジェクター１０に入力されたグループ情報を、当該他のプロジェクター１０のＩＰアドレスと対応付けて、機器選択画面を表示する。ユーザーは、リモートコントローラー２０の操作により、プロジェクター１０にグループ情報を指定したので、領域Ｔ１に表示されているＩＰアドレスが、自身が指定したプロジェクター１０に対応していることを把握できる。このため、ユーザーは、各プロジェクター１０のグループ情報を参照して、操作するプロジェクター１０を選択することにより、所望するプロジェクター１０を用いて部分画像の配置位置を選択することができる。
【００４２】
［第２実施形態］
図８は、本発明の第２実施形態に係るプロジェクターシステム２の全体構成を示す図である。本実施形態において、上述した第１実施形態と同じ符号を付したハードウェア回路は、上述した第１実施形態で説明したハードウェア回路と同じである。
図８に示すように、プロジェクターシステム２は、プロジェクター１０Ａ〜１０Ｄと、画像信号供給装置４０と、管理装置５０とを備えた表示システムである。プロジェクター１０のハードウェア構成は、上述した第１実施形態と同じでよく、ここでは説明を省略する。プロジェクター１０Ａ〜１０ＤのＩＰアドレスは、図８に示すとおり、上述した第１実施形態と同じである。
【００４３】
プロジェクター１０Ａ，１０Ｂは、同一の室空間である会議室Ｒ１に配置され、プロジェクター１０Ｃ，１０Ｄは、同一の室空間である会議室Ｒ２に配置されている。また、プロジェクター１０Ａ〜１０Ｄの各々は、ネットワークＮＷ経由で通信可能である。ネットワークＮＷには、更に、画像信号供給装置４０、及び管理装置５０が接続されている。管理装置５０は、ここではスマートフォンであり、ネットワーク経由でプロジェクター１０を遠隔操作により制御する。
なお、管理装置５０は、パーソナルコンピューター等の、ネットワークＮＷに接続する機能を有する装置であればよい。
また、本実施形態では、プロジェクターシステム２が４台のプロジェクター１０を含むが、３台以下又は５台以上であってもよい。
【００４４】
図９は、管理装置５０のハードウェア構成を示すブロック図である。図９に示すように、管理装置５０は、ＣＰＵ５１と、ＲＯＭ５２と、ＲＡＭ５３と、タッチパネル５４と、無線通信部５５と、記憶部５６とを備える。
ＣＰＵ５１は、ＲＯＭ５２又は記憶部５６に記憶されたプログラムをＲＡＭ５３に読み出して実行し、管理装置５０の各部を制御する。
タッチパネル５４は、液晶ディスプレイ等の表示部と、当該表示部の表示面に重ねて面状に設けられた操作手段としてのタッチセンサーとを備える。タッチパネル５４は、文字やＧＵＩ（Graphical User Interface）等の画面を表示する。
無線通信部５５は、例えば無線通信回路及びアンテナを備え、外部の電子機器と無線通信を行う。無線通信部５５は、ネットワークＮＷに接続して、ＩＥＥＥ８０２．１１の規格に準拠した無線通信を行う。
記憶部５６は、例えば不揮発性の半導体メモリーを備え、ＣＰＵ５１により実行されるプログラム、及びその他のデータを記憶する。記憶部５６は、例えば、管理装置５０をプロジェクター１０のリモートコントローラーとして機能させるためのアプリケーションプログラムを記憶する。
【００４５】
図１０は、管理装置５０、及びプロジェクター１０の機能構成を示すブロック図である。図１０には、プロジェクター１０のうち、プロジェクター１０Ａ，１０Ｂの機能構成が示されている。図１０に示すように、管理装置５０は、受信手段５０１と、生成手段５０２と、表示手段５０３とに相当する機能を実現する。プロジェクター１０Ａは、第１の入力受付手段１１１Ａと、第１の送信手段１１２Ａとに相当する機能を実現する。
第１の入力受付手段１１１Ａは、管理装置５０を介してユーザーによるグループ情報の入力を受け付ける手段である。このグループ情報は、プロジェクター１０Ａ（第１の電子機器）が分類されるグループを示す第１のグループ情報である。
第１の送信手段１１２Ａは、自機の識別情報（第１の識別情報）、及び入力受付手段１１１Ａが入力を受け付けたグループ情報（第１のグループ情報）を、管理装置５０へ送信する手段である。なお、本実施形態では、この識別情報としてプロジェクター１０ＡのプロジェクターのＩＰアドレスを用いる。
【００４６】
第２の入力受付手段１１１Ｂは、管理装置５０を介してユーザーによるグループ情報の入力を受け付ける手段である。このグループ情報は、プロジェクター１０Ｂ（第２の電子機器）が分類されるグループを示す第２のグループ情報である。
第２の送信手段１１２Ｂは、自機の識別情報（第２の識別情報）、及び入力受付手段１１１Ｂが入力を受け付けたグループ情報（第２のグループ情報）を、管理装置５０へ送信する手段である。なお、本実施形態では、この識別情報としてプロジェクター１０ＡのプロジェクターのＩＰアドレスを用いる。
【００４７】
受信手段５０１は、プロジェクター１０Ａ，１０Ｂの各々から、ネットワークＮＷ経由で、識別情報、及びグループ情報を受信する手段である。
生成手段５０２は、受信手段５０１により受信された識別情報、及びグループ情報に基づいて、操作するプロジェクター１０を選択するための選択画面を生成する手段である。
表示手段５０３は、生成手段５０２により生成された選択画面を表示する手段である。
なお、プロジェクター１０Ｃ，１０Ｄも、プロジェクター１０Ａ，１０Ｂと同じ機能を実現する。
【００４８】
＜グループ分け処理＞
図１１は、プロジェクター１０が行うグループ分け処理を示すフローチャートである。グループ分け処理において、ステップＳ２〜Ｓ５、及びステップＳ７の処理は、上述した第１実施形態と同じ内容の処理でよい。本実施形態のグループ分け処理では、ステップＳ１の処理に代えてステップＳ８の処理が、ステップＳ６の処理に代えてステップＳ９の処理が実行される。具体的には、ステップＳ８において、プロジェクター１０のＣＰＵ１１は、ネットワークＮＷ及び通信部１９を介して、管理装置５０から、起動を指示する起動指示信号を受信する。ＣＰＵ１１は、タッチパネル５４に、図１（Ａ）で説明したリモートコントローラー２０の各ボタンに対応する操作子画像（ソフトボタン）を表示させる。起動指示信号には、上述した第１実施形態と同様、グループ情報が含まれている場合がある。グループ情報は、タッチパネル５４の操作により、ユーザーにより指定される。
【００４９】
ステップＳ９において、ＣＰＵ１１は、自装置に指定されたグループ情報、及び個体情報を、通信部１９を介して管理装置５０へ送信する。ここでは、プロジェクター１０Ａ，１０Ｂには、グループ情報として「Ｇ１」が、プロジェクター１０Ｃ，１０Ｄには、グループ情報として「Ｇ２」が指定されるものとする。
【００５０】
＜機器選択画面の表示処理＞
図１２は、管理装置５０が行う機器選択画面の表示処理を示すフローチャートである。
管理装置５０のＣＰＵ５１は、無線通信部５５を介して、プロジェクター１０Ａ〜１０Ｄの各々から、グループ情報、及び個体情報を受信する（ステップＳ３１）。ステップＳ３１では、ＣＰＵ５１は、プロジェクター１０によりステップＳ８で送信されたグループ情報、及び個体情報を受信する。
次に、ＣＰＵ５１は、機器選択画面を表示するかどうかを判定する（ステップＳ３２）。ＣＰＵ５１は、ユーザーにより所定の操作が行われたとき等の所定のタイミングで、機器選択画面を表示すると判定する。
【００５１】
ステップＳ３２で「ＹＥＳ」と判定した場合、ＣＰＵ５１は、ネットワークＮＷに接続されたプロジェクター１０のＩＰアドレスを確認する（ステップＳ３３）。ここでは、ＣＰＵ５１は、ネットワークＮＷに接続された全てのプロジェクター１０、即ち、プロジェクター１０Ａ〜１０ＤのＩＰアドレスを確認する（図９参照）。
【００５２】
次に、ＣＰＵ５１は、ステップＳ３３で確認したＩＰアドレス毎に、グループ情報、及び個体情報との受信の有無を判定し、機器選択画面を生成する（ステップＳ３４）。ここでは、ＣＰＵ５１は、プロジェクター１０Ａ〜１０ＤのＩＰアドレスについて、グループ情報、及び個体情報を受信したと判定する。そして、ＣＰＵ５１は、生成した機器選択画面を、タッチパネル５４へ表示させる（ステップＳ３５）。
【００５３】
図１３は、ステップＳ３５で表示される機器選択画面を説明する図である。
図１３（Ａ）に示す機器選択画面ＳＣ３において、領域Ｔ３では、プロジェクター１０Ａ〜１０Ｄの各々について、指定されたグループ情報と、ＩＰアドレスとが対応付けて表示されている。領域Ｔ３には、グループ情報「Ｇ１」に対応付けて、プロジェクター１０ＡのＩＰアドレス「１９２．１６８．１．６０」と、プロジェクター１０ＢのＩＰアドレス「１９２．１６８．１．７０」とが表示されている。また、領域Ｔ３では、グループ情報「Ｇ２」に対応付けて、プロジェクター１０ＣのＩＰアドレス「１９２．１６８．１．１００」と、プロジェクター１０ＤのＩＰアドレス「１９２．１６８．１．１１０」とが表示されている。
【００５４】
また、機器選択画面ＳＣ３では、領域Ｔ４において、プロジェクター１０のロケーションを選択する画面が表示される。ロケーションは、プロジェクター１０が配置された位置（ここでは空間）を表し、プロジェクター１０が画像を投写する投写領域と関連づいている。領域Ｔ４には、互いに異なるロケーションを示す「ＬｏｃａｔｉｏｎＡ」と、「ＬｏｃａｔｉｏｎＢ」とに関する情報が表示される。図では、「設定中」と示されているが、これは、各ロケーションにＩＰアドレスが関連づけられていないことを意味する。
【００５５】
図１２に戻り、ＣＰＵ５１は、機器選択画面の操作に応じて、ロケーションと、当該ロケーションに配置されたプロジェクター１０のＩＰアドレスとを関連づける（ステップＳ３６）。機器選択画面の操作は、図１３（Ａ）に示すカーソルＣｕｒ３，Ｃｕｒ４を用いて行われる。ＣＰＵ５１は、機器選択画面ＳＣ３の表示開始後、領域Ｔ４に表示されたロケーションのうち、ＩＰアドレスの関連づけが未だであるいずれかのロケーションに、カーソルＣｕｒ４を合わせる。この状態で、ユーザーがカーソルＣｕｒ３でいずれかのグループ情報を選択する操作が行われると、ＣＰＵ５１は、カーソルＣｕｒ３で指定されたグループ情報に関連づけられたＩＰアドレスを、カーソルＣｕｒ４で指定されたロケーションと関連づける。図１３（Ｂ）に示す例では、「ＬｏｃａｔｉｏｎＡ」と、グループ情報「Ｇ１」に対応するＩＰアドレス「１９２．１６８．１．６０」、及びＩＰアドレス「１９２．１６８．１．７０」とが関連づけられ、「ＬｏｃａｔｉｏｎＢ」と、グループ情報「Ｇ２」に対応するＩＰアドレス「１９２．１６８．１．１００」、及びＩＰアドレス「１９２．１６８．１．１１０」とが関連づけられている。ＣＰＵ５１は、ロケーションにＩＰアドレスを関連づけると、このロケーションにおいて実施されるタイリング投写を行うための設定が完了する。
以降、この設定に従って、複数のプロジェクター１０間で、タイリング投写を行うための情報の交換や、タイリング投写のための制御が行われる。
【００５６】
なお、ＣＰＵ５１は、リモートコントローラー２０による操作に応じてカーソルＣｕｒ４を移動させてもよい。また、管理装置５０は、同じグループに分類された２台以上のプロジェクター１０に対して、共通の制御を行わせるための遠隔操作を行ってもよい。この遠隔操作として、起動要求やシャットダウン要求がある。
【００５７】
以上説明した第２実施形態によれば、管理装置５０は、一のプロジェクター１０に入力されたグループ情報を、当該プロジェクター１０のＩＰアドレスと対応付け、且つ他のプロジェクター１０に入力されたグループ情報を、当該他のプロジェクター１０のＩＰアドレスと対応付けて、機器選択画面を表示する。ユーザーは、管理装置５０を操作して、プロジェクター１０にグループ情報を指定したので、領域Ｔ３に表示されているＩＰアドレスが、自身が指定したプロジェクター１０に対応していることを把握することができる。このため、ユーザーは、各プロジェクター１０のグループの情報を参照して、操作するプロジェクター１０を選択することにより、所望するプロジェクター１０の組み合わせによりロケーションを関連づけることができる。
【００５８】
［変形例］
本発明は、上述した実施形態と異なる形態で実施することが可能である。また、以下に示す変形例は、各々を適宜に組み合わせてもよい。
上述した実施形態において、リモートコントローラー２０を用いて行われた操作は、本体操作部１４の操作に置き換えられてもよい。また、物理ボタンの操作は、ソフトボタンの操作に置き換えられてもよい。
グループ情報の入力は、“ＧＲＯＵＰ  ＯＮ”キー２２の操作のみによって行われてもよい。この場合、リモートコントローラー２０にテンキー２３が設けられていなくてもよい。
【００５９】
プロジェクター１０の識別情報として、ＩＰアドレス以外の情報を用いてもよい。この識別情報は、ＭＡＣアドレスや、プロジェクター１０の名称でもよく、プロジェクター１０を識別可能な情報であればよい。
プロジェクター１０又は管理装置５０は、グループ情報に基づいて、タイリング投写に使用可能なプロジェクター１０を制限してもよい。この場合、同じグループ情報が指定されたプロジェクター１０の組み合わせで、タイリング投写が行われるようにするとよい。
上述した実施形態で説明した情報表示画面や機器選択画面の内容、また、各画面を用いて行われる操作はあくまで一例である。
【００６０】
上述した各実施形態では、プロジェクターシステムにおいてタイリング投写が行われる場合を説明したが、プロジェクターシステムは、タイリング投写以外の用途で使用されてもよい。例えば、プロジェクターシステムにおいて、スタック投写を行う２以上のプロジェクター１０間で操作情報が送受信されてもよい。この場合も、操作するプロジェクター１０を選択するための選択画面が、スクリーン３０又は管理装置５０に表示される。
上述した各実施形態では、全てのプロジェクター１０が機器選択画面を生成、表示可能であったが、必ずしもそうである必要はない。機器選択画面を生成、表示するプロジェクター１０以外のプロジェクター１０は、自機のＩＰアドレス、及び個体情報を送信する機能を有しなくてもよい。
【００６１】
上述した各実施形態では、プロジェクター１０のグループ分けについて説明したが、本発明は、様々な表示装置のグループ分けにも適用可能である。この場合の表示装置として、フロントプロジェクション型のプロジェクターに限られず、例えばリアプロジェクション型のプロジェクターや液晶ディスプレイ等のモニター直視型の表示装置がある。更に、上述した第２実施形態で説明したグループ分けの手法は、表示装置以外の電子機器のグループ分けにも適用可能である。本発明は、例えば、コンピューター装置等の複数の電子機器を同時に制御する場合のグループ分けに適用されてもよい。
また、本発明は、表示装置の制御方法、又は電子機器の制御方法として把握することも可能である。
【符号の説明】
【００６２】
１，２…プロジェクターシステム、１０，１０Ａ〜１０Ｆ…プロジェクター、１０１…入力受付手段、１０２…送信手段、１０３，５０１…受信手段、１０４，５０２…生成手段、１０５，５０３…表示手段、１１１Ａ…第１の入力受付手段、１１２Ａ…第１の送信手段、１１１Ｂ…第２の入力受付手段、１１２Ｂ…第２の送信手段、１１，５１…ＣＰＵ、１２，５２…ＲＯＭ、１３，５３…ＲＡＭ、１４…本体操作部、１５…信号受信部、１６…画像処理部、１７…投写部、１８…カメラ部、１９…通信部、２０…リモートコントローラー、３０…スクリーン、４０…画像信号供給装置、５０…管理装置、５４…タッチパネル、５５…無線通信部、５６…記憶部
【図１】
0006601032.tif 000002
【図２】
0006601032.tif 000003
【図３】
0006601032.tif 000004
【図４】
0006601032.tif 000005
【図５】
0006601032.tif 000006
【図６】
0006601032.tif 000007
【図７】
0006601032.tif 000008
【図８】
0006601032.tif 000009
【図９】
0006601032.tif 000010
【図１０】
0006601032.tif 000011
【図１１】
0006601032.tif 000012
【図１２】
0006601032.tif 000013
【図１３】
0006601032.tif 000014